(57)【特許請求の範囲】
【請求項１】
天板の下面に下枠を取付け、該下枠を回動可能に軸支する連結部材を脚支柱に取付け、該連結部材に係合溝を設けるとともに、前記下枠にロックリンクを回動可能に取付け、該ロックリンクを前記係合溝に係合可能に設けた折畳みテーブルにおいて、前記連結部材の一側周面にロックリンクを係合可能な係合溝を設け、該連結部材の上部に合成樹脂製のジョイントカバーを取付け、該ジョイントカバーの一側部にロックリンクを係入可能な係入溝を設けるとともに、前記ジョイントカバーの上部に天板の下面に係合可能な二つの係合部を設け、該係合部の間にロックリンクを係合可能な係合溝を設けたことを特徴とする折畳みテーブル。
【請求項２】
前記連結部材の中間部に一または複数のネジ孔を設けるとともに、連結部材を取付ける脚支柱の取付け部にビスの軸部を掛け止め可能な長孔を設けた請求項１記載の折畳みテーブル。
【請求項３】
前記連結部材を取付ける脚支柱の取付け部にビスを挿入可能な通孔を形成するとともに、該通孔の内側の開口部にビスをねじ込み可能なナットを取付けた請求項１記載の折畳みテーブル。
【請求項４】
前記連結部材を鋼板製とした請求項１記載の折畳みテーブル。
【発明の詳細な説明】
【技術分野】
【０００１】
本発明は、天板のロック機構の簡潔化と軽量化を図り、これを容易かつ安価に製作できる折畳みテーブルに関する。
【背景技術】
【０００２】
天板を折畳み可能な折畳みテーブルには、天板の使用状態と折畳み状態を保持するロック機構が設けられている。従来、このロック機構として、二つの係合溝を形成した連結板を脚支柱の上部に取付け、前記係合溝に係合可能なロックピンを突設したリンクをロックレバーと同動可能に取付け、一方の係合溝にロックピンを係合して天板の折畳み状態を維持し、他方の係合溝にロックピンを係合して天板の使用状態を維持するようにしたものがある（例えば、特許文献１参照）。
【０００３】
しかし、前記ロック機構は、ロックピンと係合溝との係合時、ロックピンが係合溝に片持ち状に係合するため、概してロックピンの支持強度が弱く、天板の過負荷時または支柱の変位時にロックピンが変形し、使用不能になる問題があった。
また、ロックピンを天板の支持フレームの外側から係合溝に係合しているため、ロックピンないしリンクの占有スペースと旋回スペースを要して、折畳みテーブルの大形化を助長するとともに、ロックピンないしリンクと支持フレームとの間に手指が挟まれる問題があった。
【０００４】
更に、ロックピンと係合溝との係合によって天板の折畳み状態や使用状態を維持しているため、天板の支持状態ないし姿勢に不安があり、例えば天板が過剰に折畳まれて体裁が悪いという問題があった。しかも、一対の連結板を横枠に溶接し、該連結板を脚支柱の上部にビス止めして取付けているため、横枠の組み立てが複雑で手間が掛かる等の問題があった。
【０００５】
このような問題を解決するものとして、二つの係合溝と角柱状の連結突起を成形したダイカスト製の上側支柱を支柱本体にビス止めし、前記係合溝に係合可能なロックピンを突設したロックリンクの軸部をロックレバーと同動可能に取付けるとともに、天板の下枠内に上側支柱を配置し、該下枠に上側支柱の上部を回動可能に連結し、前記連結突起に角管状の補強枠を差し込んでビス止めし、一方の係合溝にロックピンを係合して天板の折畳み状態を維持し、他方の係合溝にロックピンを係合して天板の使用状態を維持するようにした折畳みテーブルがある（例えば、特許文献２参照）。
【０００６】
しかし、前記ロック機構は上側支柱をダイカスト成形しているため、製作費が高価になり、また重量が嵩んで簡便な使用が損なわれる問題があり、しかも補強枠の両端部を連結突起に差し込んでビス止めしているため、補強枠の組み立てが複雑で手間が掛かる等の問題があった。
【０００７】
このような問題を解決するものとして、角柱状のダイカスト製のジョイント部材を設け、該ジョイント部材の上部周面にロックリンクと係合可能な二つの係合溝を形成し、天板の使用状態と折畳み状態を維持可能にするとともに、ジョイント部材の上部周面に枢支溝を形成し、該枢支溝に天板の下面に固定したブラケットの枢支部を係合可能に配置し、天板の折畳み時にロックリンクを一方の係合溝に係合し、枢支溝にブラケットの枢支部を係合するようにした折畳みテーブルがある（例えば、特許文献３参照）。
【０００８】
しかし、前記折畳みテーブルは、ジョイント部材をダイカスト成形しているため、高価で重量が嵩むとともに、ジョイント部材に前記係合溝と枢支溝、および連結枠の端部に設けた掛止片と係合可能な掛止溝を設けているため、ジョイント部材の構成が複雑化し、その製作が複雑になるとともに、ジョイント部材の取付けやジョイント部材に対する連結枠の組み付けが煩雑になり、製作費の高騰を助長する等の問題があった。
【先行技術文献】
【特許文献】
【０００９】
【特許文献１】実用新案登録第２５７２７５７号公報
【特許文献２】特許第４４７１４４０号公報
【特許文献３】特開２０１３−１４４０８６号公報
【発明の概要】
【発明が解決しようとする課題】
【００１０】
本発明はこのような問題を解決し、天板のロック機構の構成の簡潔化と軽量化を図り、これを容易かつ安価に製作できる折畳みテーブルを提供することを目的とする。
【課題を解決するための手段】
【００１１】
請求項１の発明は、天板の下面に下枠を取付け、該下枠を回動可能に軸支する連結部材を脚支柱に取付け、該連結部材に係合溝を設けるとともに、前記下枠にロックリンクを回動可能に取付け、該ロックリンクを前記係合溝に係合可能に設けた折畳みテーブルにおいて、前記連結部材の一側周面にロックリンクを係合可能な係合溝を設け、該連結部材の上部に合成樹脂製のジョイントカバーを取付け、該ジョイントカバーの一側部にロックリンクを係入可能な係入溝を設けるとともに、前記ジョイントカバーの上部に天板の下面に係合可能な二つの係合部を設け、該係合部の間にロックリンクを係合可能な係合溝を設け、連結部材とジョイントカバーの構成を簡潔化し、これらの容易かつ安価な製作を実現するとともに、連結部材とジョイントカバーの構成を簡潔にし、これを容易かつ安価に製作するとともに、二つの係合部とロックリンクおよび係入溝によって天板の使用状態と折畳み状態を保持し、しかもジョイントカバーと連結部材とロックリンクによって天板のロック機構を構成し、連結部材をダイカスト製とする場合に比べ、ロック機構の構成の簡潔化と軽量化、並びに製作の容易化と低廉化を図るようにしている。
【００１２】
請求項２の発明は、連結部材の中間部に一または複数のネジ孔を設けるとともに、連結部材を取付ける脚支柱の取付け部にビスの軸部を掛け止め可能な長孔を設け、連結部材と脚支柱との仮止めを簡便に行なえるようにしている。
請求項３の発明は、前記連結部材を取付ける脚支柱の取付け部にビスを挿入可能な通孔を形成するとともに、該通孔の内側の開口部にビスをねじ込み可能なナットを取付け、連結部材と脚支柱との仮止め後、これらを確実かつ堅固に取付けるようにしている。  
請求項４の発明は、連結部材を鋼板製とし、連結部材をダイカスト製とする場合に比べ、ロック機構の構成の簡潔化と軽量化、並びに製作の容易化と低廉化を促すようにしている。
【発明の効果】
【００１３】
請求項１の発明は、連結部材の一側周面にロックリンクを係合可能な係合溝を設け、該連結部材の上部に合成樹脂製のジョイントカバーを取付け、該ジョイントカバーの一側部にロックリンクを係入可能な係入溝を設けるとともに、前記ジョイントカバーの上部に天板の下面に係合可能な二つの係合部を設け、該係合部の間にロックリンクを係合可能な係合溝を設けたから、連結部材とジョイントカバーの構成を簡潔化し、これらの容易かつ安価な製作を実現するとともに、連結部材とジョイントカバーの構成を簡潔にし、これを容易かつ安価に製作でするとともに、二つの係合部とロックリンクおよび係入溝によって天板の使用状態と折畳み状態を保持し、しかもジョイントカバーと連結部材とロックリンクによって天板のロック機構を構成し、連結部材をダイカスト製とする場合に比べ、ロック機構の構成の簡潔化と軽量化、並びに製作の容易化と低廉化を図ることができる。
【００１４】
請求項２の発明は、連結部材の中間部に一または複数のネジ孔を設けるとともに、連結部材を取付ける脚支柱の取付け部にビスの軸部を掛け止め可能な長孔を設けたから、連結部材と脚支柱との仮止めを簡便に行なうことができる。
請求項３の発明は、連結部材を取付ける脚支柱の取付け部にビスを挿入可能な通孔を形成するとともに、該通孔の内側の開口部にビスをねじ込み可能なナットを取付けたから、連結部材と脚支柱との仮止め後、これらを確実かつ堅固に取付けることができる。  
請求項４の発明は、連結部材を鋼板製としたから、連結部材をダイカスト製とする場合に比べ、ロック機構の構成の簡潔化と軽量化、並びに製作の容易化と低廉化を促すことができる。
【図面の簡単な説明】
【００１５】
【図１】本発明を適用した会議用テーブルの使用形態を示す斜視図である。
【図２】図１の正面図である。
【図３】図１の左側面図で、天板の使用状態と折畳み状態を拡大して示している。
【図４】本発明の要部を分解して示す斜視図である。
【図５】本発明の要部の組み付け状況を拡大して示す斜視図で、下枠と連結部材とジョイントカバー、および脚支柱を示している。
【００１６】
【図６】本発明の要部を分解し拡大して示す斜視図で、連結部材とジョイントカバー、および脚支柱の組み付け状況を示している。
【図７】本発明に適用した連結部材にジョイントカバーを取付けた状況を拡大して示す斜視図である。
【図８】本発明に適用した連結部材に脚支柱を取付けた状況を拡大して示す断面図である。
【図９】本発明を適用した会議用テーブルの使用形態を拡大して示す断面図である。
【図１０】本発明を適用した会議用テーブルの天板の折畳み状況を拡大して示す断面図である。
【発明を実施するための形態】
【００１７】
以下、本発明を天板のロック機構を備えた会議用テ−ブルである折畳みテーブルに適用した図示の実施形態について説明すると、図１乃至図１０において１は折畳みテーブルで横長矩形の天板２を備え、該天板２の下面に鋼板製の一対の下枠３が左右にビス止めされている。
前記下枠３は略逆Ｕ字形断面に形成され、その屈曲片３ａ，３ａに一対の補強枠４と連結軸５が掛け渡されている。
このうち、連結軸５は屈曲片３ａ，３ａに形成した通孔６，６に挿入して掛け渡され、その屈曲片３ａ，３ａ間の軸周面に、鋼板製のロックリンク７と捩りバネであるロックスプリング８が取付けられている。
【００１８】
前記ロックリンク７は略Ｌ字形状に形成され、その一端に軸筒部７ａが突設され、該軸筒部７ａに前記連結軸５を挿入し、該連結軸５の端部にハンドル軸９を挿入している。
そして、軸筒部７ａと連結軸５とハンドル軸９をビス止めして、これらを一体に連結するともに、ハンドル軸９の他端部にハンドル１０をビス止めし、該ハンドル１０とハンドル軸９とロックリンク７とを同期回動可能に連結している。
【００１９】
前記ロックスプリング８の一端は天板２の下面に係合し、他端はロックリンク７に掛け止められ、該スプリング８の弾性を介してロックリンク７の先端部の係合部７ｂを、後述する連結板の係合溝に係合可能に付勢している。
図中、１１は下枠３の周囲を下方から被覆する保護カバ−、１２は天板２の直下に設けた収納棚で複数の棚枠１３を備え、該棚枠１３の直下に角管製の支持枠１４を取付けている。
【００２０】
前記支持枠１４の両端部に、連結部材である鋼板製の連結板１５が溶接され、該連結板１５は後述する脚支柱と略同幅の細長の矩形板に形成されていて、その中間部に一対のビス孔１６が上下位置に形成されている。
そして、前記連結板１５の内側からビス１７がビス孔１６に挿入され、これを脚支柱１８の内側面に形成した通孔４１に挿入し、更に通孔４１の内側口縁部に固定したナット１９にねじ込んで、連結板１５を脚支柱１８に連結している。
【００２１】
前記ビス孔１６，１６の間に一対のネジ孔２０，２０が上下位置に形成され、これらに連結板１５の外側からビス２１，２１がねじ込まれている。前記ビス２１，２１は螺軸と頭部の間に平滑面２１ａ，２１ａが形成され、ビス２１，２１を連結板１５にねじ込み後、平滑面２１ａの長さ分頭部を浮かせて取付け、その空隙に支持脚１８の内側面を配置している。
【００２２】
前記脚支柱１８の内側面に略だるま形の長孔３８が形成され、該長孔３８の端部を前記ビス２１の平滑面２１ａに掛け止めて、支持脚１８を連結板１５に仮止め可能にしている
図中、２２はビス２１，２１の間に形成した水抜き孔で、支持枠１４に連結板１５を溶接後、これらを塗装する前処理時に内部に浸入した処理液を支持枠１４から排出可能にしており、３９は支持枠１４の端部に形成した同様な水抜き孔で、塗装後はキャップ４０で閉塞されている。
【００２３】
前記連結板１５の上端部は幅広に形成され、その一側に張出部１５ａが突出形成され、その上端面は幅広な平坦面１５ｂに形成され、また張出部１５ａと他側周面に係合溝２３が形成され、ロックリンク７の係合部７ｂと係合可能にされている。
図中、２４は連結板１５の上端部に形成したピン孔で、該孔２４に屈曲片３ａの外側から枢支ピン２５が差し込まれ、屈曲片３ａ，３ａの間に連結板１５の上端部を回動可能に支持している。
【００２４】
図中、２６はピン孔２４に近接して形成した透孔で、塗装時に使用する引掛け具（図示略）を掛け止め可能にしており、２７は透孔２６に近接して形成したネジ孔で、連結板１５の上端部にジョイントカバー２９を取付け後、外部からビス２８をねじ込んでジョイントカバー２９を固定している。
前記ジョイントカバー２９は、ガラス繊維等の強化材を含有する合成樹脂によって異形かつ堅牢なケース状に成形され、その内部に連結板１５の上端部を挿入可能な係入溝３０が形成され、該係入溝３０がジョイントカバー２９の両側部と下部周面に開口している。
【００２５】
前記ジョイントカバー２９の一側に略台形状の係合部３１が突設され、その側周面が天板２の折畳み時に下枠３の下面に係合可能に配置され、その係合面３１ａが斜め上向きに形成されていて、その傾斜角度θを介して天板２の折畳み角度を規制している。
前記ジョイントカバー２９の上部に、大小二つの山形の係合部３２，３３が近接して突設され、それらの間にロックリンク７の先端部の係合部７ｂと係合可能な略Ｖ字形状の係合溝３４が形成されている。
【００２６】
図中、３５はジョイントカバー２９の前面下部に横長に形成した、いわゆる肉盗み用の開口部、３６，３７は開口部３５の直上に突設した筒状リングで、これらに前記枢支ピン２５とビス２８を挿入可能にしている。
一方、前記天板２の長さ方向の両端部の下面に一対の脚支柱１８，４２が内外に配置され、このうち外側に配置した脚支柱４２は角管を略く字形状に形成し、その下端部を後方へ配置している。図中、４３，４４は脚支柱１８，４２の下端部に取付けたキャスターで、床面４５を走行可能にしている。
【００２７】
前記脚支柱１８，４２の上部は連結管４６を介して溶接され、該連結管４６と脚支柱１８，４２の上端部は同高位置に形成され、その外側の脚支柱４２の上端部に合成樹脂製のキャップ４７の脚部が差し込まれ、該キャップ４７の側方に略半円管状のドーム状キャップ４８が一体成形され、その下端部を脚支柱１８と連結管４６の上端部に係合して配置して、それらの開口部を閉塞している。
【００２８】
そして、前記キャップ４８のドーム状周面に手提げ鞄等（図示略）の手提げ部を掛け止め、この手提げ部に前記キャップ４７を当接可能に配置して、手提げ部ないし手提げ鞄の脱落を防止している。
【００２９】
このように構成した折畳みテーブルは、主な部品として連結板１５とジョイントカバー２９と脚支柱１８の製作を要し、また支持枠１４と連結板１５との連結、および連結板１５と脚支柱１８との連結を要する。
先ず、連結板１５は肉厚の鋼板をプレス成形し、その幅員を脚支柱１８と略同幅の細長の矩形板に形成し、その上部の一側に係合溝２３を打ち抜き形成する。
【００３０】
そして、連結板１５の中間部に一対のビス孔１６を上下位置に形成し、その内側に一対のネジ孔２０を上下位置に形成し、この下側のネジ孔２０の直上に左右一対の水抜き孔２２を形成する。また、ジョイントカバー２９は堅牢な合成樹脂によって中空のケース状に成形し、その内部に係入溝３０を形成する。
【００３１】
このように実施形態の折畳みテーブルは、脚支柱１８の内面に取付ける連結板１５を鋼板で製作しているから、これをダイカスト成形する場合に比べて容易かつ安価に製作でき、しかも軽量化を図れる。
前記連結板１５に単一の係合溝２３を形成し、またジョイントカバー２９を樹脂成形し、その上端部に単一の係合溝３４を形成しているから、これらに二つの係合溝を形成する場合に比べて、連結板１５とジョイントカバー２９の構成が簡単になり、これらをダイカスト成形する場合に比べて、軽量で容易かつ安価に製作できる。
【００３２】
次に、左右一対の連結板１５の中間部に支持枠１４の両端部を溶接し、これらを脱脂洗浄後に塗装し、塗装後の連結板１５の上端部にジョイントカバー２９を取付ける。
その際、連結板１５の上端部をジョイントカバー２９の下方から係入溝３０に挿入し、筒状リング３７を連結板１５のネジ孔２７に位置合わせ後、ビス２８を筒状リング３７に挿入してネジ孔２７にねじ込み、ジョイントカバー２９を連結板１５の上端部に取付ける
この状況は図６および図７のようである。
【００３３】
こうして連結板１５にジョイントカバー２９を取付け後、ジョイントカバー２９を下枠３の屈曲片３ａ，３ａ間に挿入し、筒状リング３６に枢支ピン２５を差し込み、該ピン２５を連結板１５のピン孔２４に挿入する。
そして、屈曲片３ａ，３ａ間の連結軸５にロックスプリング８とロックリンク７を取付け、連結軸５の端部にハンドル軸９を取付け、その外端部にハンドル１０を取付けてこれらをビス止めし、更に下枠３とロックリンク７にロックスプリング８を掛け止めて、ハンドル１０とハンドル軸９とロックリンク７を同期回動可能に取付ける。
【００３４】
一方、脚支柱１８の上端部の内側面の上下位置に一対の長孔３８を形成し、その上下位置に通孔４１を形成し、その内側口縁部にナット１９を溶接等によって取付ける。
そして、前記脚支柱１８と脚支柱４２の上端部を内外に配置し、それらの間に連結管４６を配置してこれらを溶接する。この後、前記脚支柱４２の上端部にキャップ４７の脚部を差し込み、これと一体のド−ムキャップ４８を脚支柱１８と連結管４６の上端部に係合する。
【００３５】
このようにして一対の脚支柱１８，４２を連結後、これを連結板１５に連結する。
その際、連結板１５のネジ孔２０に外側からビス２１をねじ込み、その頭部を平滑面２１ａの長さ分浮かせて取付ける。
そして、ビス２１の頭部と連結板１５の外面との空隙部に支持脚１８の内側面を配置し、一対の長孔３８，３８にビス２１の頭部を挿入し、その開口縁部をビス２１の螺軸の平滑面２１ａに係合して、脚支柱１８，４２を連結板１５に仮止めする。したがって、一対の脚支柱１８，４２を連結板１５に簡便に取付けられる。
【００３６】
この後、連結板１５の内側からビス１７をビス孔１６に挿入し、これを脚支柱１８の内側面の通孔４１に差し込み、更にその内側開口縁部のナット１９にねじ込んで、脚支柱１８を連結板１５に堅固に取付ける。この状況は図６および図８のようである。
【００３７】
こうして組み立てた折畳みテーブルの使用時は図９のように、天板２の左右に配置した下枠３の屈曲片３ａ，３ａの間にジョイントカバー２９の上端部が位置し、その山形の係合部３２，３３が下枠３の下面に係合して天板２を水平に支持し、また内側周面の係合溝２３にロックリンク７の係合部７ｂが係合し、かつこの係合状態をロックスプリング８の弾性によって維持し、連結板１５の回動を阻止して天板２を水平に支持している。この状況は図９のようで、天板２を安定して使用できる。
【００３８】
このような天板２の使用後、天板２を折畳む場合は、操作レバー１０を握持し、ロックスプリング８の弾性に抗して連結軸５を中心に操作レバー１０を上向きに回動する。
このようにすると、操作レバー１０の作動にロックリンク７がロックスプリング８に抗して同期回動し、その係合部７ｂが係合溝２３から引き抜かれて、それらの係合が解除される。  
【００３９】
そこで、前記操作レバー１０の握持状態を維持して天板２の前部を押し上げ、該天板２をピン２５を中心に図９上時計方向へ回動する。
前記ロックリンク７は天板２ないし下枠３の回動に同動して旋回し、先端部の係合部７ｂがロックカバー２９の周面を滑動し、係合部７ｂが係合部３３を乗り越え、かつ連結板１５の上端部の直上に移動したところで係合溝３４に係合し、この係合状態をロックスプリング８が維持して天板２が回動を停止する。
【００４０】
この状況は図１０のようで、天板２が斜状に折畳まれ、その折畳み角度を係合部３１の係合面３１ａがθに規制している。この場合、係合部３１，３３、係合溝３４は、ジョイントカバー２９が堅牢な合成樹脂で形成されているから、係合時の磨耗や衝撃に堪えられ長期に亘る使用を図れる。
【００４１】
一方、天板２の折畳み後、これを展開して使用する場合は、操作レバー１０を握持してロックリンク７と係合溝３４との係合を解除し、天板２の前部をロックスプリング８に抗して押し下げ、該天板２をピン２５を中心に図１０上反時計方向へ回動して、ロックリンク７の係合部７ｂを係合溝２３に係合し、図９の使用状態を回復させれば良い。
【産業上の利用可能性】
【００４２】
このように本発明の折畳みテーブルは、天板のロック機構の簡潔化と軽量化を図り、これを容易かつ安価に製作できるから、会議用テーブルに好適である。
【符号の説明】
【００４３】
１              折畳みテーブル（会議用テーブル）
２              天板
３              下枠
７              ロックリンク
１５              連結部材
１６              ビス孔
１８              脚支柱
【００４４】
１７，２１        ビス
１９              ナット
２０              ネジ孔
２３              係合溝
２９              ジョイントカバー
３１，３２        係合部
３４              係合溝
３８              長孔
【図１】
0006278944.tif 000002
【図２】
0006278944.tif 000003
【図３】
0006278944.tif 000004
【図４】
0006278944.tif 000005
【図５】
0006278944.tif 000006
【図６】
0006278944.tif 000007
【図７】
0006278944.tif 000008
【図８】
0006278944.tif 000009
【図９】
0006278944.tif 000010
【図１０】
0006278944.tif 000011